【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
炭化水素留分において、フィルター通過性添加剤の効率を向上させるためのホモポリマーの使用であって、
前記炭化水素留分は、１５０〜４５０℃の沸点を有し、示差走査熱量分析で測定される結晶化開始温度が−５℃以上であり、
前記ホモポリマーは、炭素原子３〜１２個のカルボン酸と、炭素原子１６個以上の鎖を含み任意でオレフィン性二重結合を有する脂肪族アルコールとのオレフィン性エステルから得られるホモポリマーであり、
前記フィルター通過性添加剤は、エチレンと、炭素原子３〜５個のカルボン酸と炭素原子１〜１０個を含むモノアルコールとのビニルエステルとの、コポリマーおよび／またはターポリマーに基づくものである、使用。
【請求項２】
請求項１において、炭化水素留分は、示差走査熱量分析で測定される結晶化開始温度−５℃から＋１０℃を有する、使用。
【請求項３】
請求項１または２において、炭化水素留分が、炭素数１８以上のｎ−パラフィンを、４重量％以上含有している、使用。
【請求項４】
請求項１〜３のいずれか一項において、炭化水素留分が、炭素数２４以上のｎ−パラフィンを、０．７重量％以上含有している、使用。
【請求項５】
請求項１〜４のいずれか一項において、炭化水素留分が、Ｃ２４〜Ｃ４０ｎ−パラフィンを０．７〜２重量％含んでいる、使用。
【請求項６】
請求項１〜５のいずれか一項において、フィルター通過性向上添加剤が、エステル単位を２０重量％以上含有するエチレンとのコポリマーである、使用。
【請求項７】
請求項１〜６のいずれか一項において、フィルター通過性添加剤が、エチレンと酢酸ビニルとのコポリマー、エチレンとプロピオン酸ビニルとのコポリマー、エチレンとバーサチック酸ビニルとのコポリマー、エチレンと（アルキル）アクリレートとのコポリマー、およびエチレンと（アルキル）メタクリレートとのコポリマーのうち１種、またはこれらの混合物から選択され、エステル単位を２０〜４０重量％含む、使用。
【請求項８】
請求項１〜７のいずれか一項において、ビニルエステルが、酢酸ビニル、プロピオン酸ビニル、バーサチック酸ビニル、（アルキル）アクリレート、および／または（アルキル）メタクリレートであり、前記アルキル基は炭素原子を１〜７個含む、使用。
【請求項９】
請求項１〜８のいずれか一項において、ホモポリマーが、炭素原子１〜７個のアルキル基で任意で置換されているアクリル酸と、炭素原子を１６個以上、好ましくは炭素原子を１８〜５０個含むアルコールとのオレフィン性エステルの重合によって得られたものであり、５０００〜２００００の重量平均分子量Ｍｗを有する、使用。
【請求項１０】
請求項９において、ホモポリマーが、１００００〜１９０００の重量平均分子量Ｍｗを有する、使用。
【請求項１１】
請求項１〜１０のいずれか一項において、ホモポリマーが、炭素原子１８〜４０個の炭化水素側鎖を含むポリアクリレートである、使用。
【請求項１２】
請求項１〜１１のいずれか一項において、炭化水素留分が１５０〜４５０℃の沸点を有し、且つ、直留からの留分、真空蒸留による留分、水素化処理された留分、真空蒸留による留分を接触分解および／もしくは水素化分解して生じる留分、常圧残渣脱硫型変換および／もしくはビスブレーキング法から生じる留分、フィッシャー・トロプシュ反応留分に由来する留分、植物系バイオマスおよび／もしくは動物系バイオマスのバイオマス・トゥ・リキッド変換から生じる留分、ならびに植物油のアルキルエステルもしくは動物油のアルキルエステルを含有する留分のうちの１種、またはこれらの組合せから選択されることを特徴とする、使用。
【請求項１３】
Ａ）エチレンと、炭素原子３〜５個のカルボン酸と炭素原子１〜１０個含むモノアルコールとのビニルエステルとの、コポリマーおよび／またはターポリマーを含むフィルター通過性添加剤と、
Ｂ）炭素原子３〜１２個のカルボン酸と、炭素原子を１６個以上含む脂肪族アルコールとのオレフィン性エステルのホモポリマー
との混合物を含む組成物であって、
前記ＡおよびＢは、沸点が１５０〜４５０℃であり示差走査熱量分析で測定される結晶化開始温度が−５℃以上である炭化水素留分の、ＮＦ  ＥＮ１１６規格に従い測定されるフィルター通過性温度ＬＦＴに関して共同効果を生じる割合で含まれる、組成物。
【請求項１４】
請求項１３において、炭化水素留分は、示差走査熱量分析で測定される結晶化開始温度−５℃から＋１０℃を有する、組成物。
【請求項１５】
エチレンと、炭素原子３〜５個のカルボン酸と炭素原子を１〜１０個含むモノアルコールとのビニルエステルとの、コポリマーおよび／またはターポリマーを含む少なくとも１つのフィルター通過性添加剤（Ａ）を８５〜９９重量％、および
炭素原子３〜１２個のカルボン酸と、炭素原子を１６個以上含む脂肪族アルコールとのオレフィン性エステルのホモポリマー（Ｂ）を１〜１５重量％
を含む、組成物。
【請求項１６】
請求項１３から１５のいずれか一項において、ホモポリマーが、５０００〜２００００の重量平均分子量Ｍｗを有する、組成物。
【請求項１７】
請求項１６において、ホモポリマーが、１００００〜１９０００の重量平均分子量Ｍｗを有する、組成物。
【請求項１８】
請求項１３〜１７のいずれか一項において、ホモポリマーが、炭素原子を１８〜５０個含むアルコールとアクリル酸とのオレフィン性エステルである、組成物。
【請求項１９】
請求項１３〜１８のいずれか一項において、ホモポリマーが、炭素原子１８〜４０個の炭化水素側鎖を含むポリアクリレートである、組成物。
【請求項２０】
請求項１３〜１９のいずれか一項において、フィルター通過性添加剤が、エステル単位を２０重量％以上含有する、エチレンのコポリマーおよびターポリマーから選択され、これらエステル単位は、酢酸ビニル、プロピオン酸ビニル、アルキルアクリレート、およびアルキルメタクリレートのうちの１種、またはこれらの組合せから選択され、前記アルキル基は炭素原子を１〜７個含む、組成物。
【請求項２１】
請求項１３〜２０のいずれか一項において、フィルター通過性添加剤が、（ｉ）エチレンと、酢酸ビニル、プロピオン酸ビニルおよびバーサチック酸ビニルから選ばれた一種または二種のビニルエステルとのコポリマーまたはターポリマー、および（ｉｉ）エチレンと、（アルキル）アクリレートおよび／もしくは（アルキル）メタクリレートとのコポリマーまたはターポリマーのうち一種、またはこれらの混合物から選択され、エステル単位を２０〜４０重量％含む、組成物。
【請求項２２】
請求項１３〜２１のいずれか一項において、フィルター通過性添加剤が、（ｉ）エチレンと、酢酸ビニル、プロピオン酸ビニルおよびバーサチック酸ビニルから選ばれた一種または２種のビニルエステルとのコポリマーまたはターポリマー、および（ｉｉ）エチレンと、（アルキル）アクリレートおよび／もしくは（アルキル）メタクリレートのコポリマーまたはターポリマーから選択され、３０００〜２００００の分子量を有する、組成物。
【請求項２３】
請求項１３〜２２のいずれか一項において、酢酸ビニル単位が２５〜３０重量％である、エチレン酢酸ビニルコポリマーを８５〜９８重量％含み、平均分子量が１００００〜１９０００であり、炭素原子数１８〜４０の炭化水素側鎖を有するポリアクリレートを２〜１５重量％含む、組成物。
【請求項２４】
硫黄０〜５０００ｐｐｍと、請求項１３〜２３のいずれか一項に記載の組成物１０〜５０００ｐｐｍとを含有し、任意で、他の添加剤、清浄剤、分散剤、解乳化剤、消泡剤、殺生物剤、付香剤、セタン価向上剤、防錆剤、摩擦緩和剤、潤滑向上剤、燃焼向上剤、曇り点改良剤、流動点改良剤、沈殿防止剤、および導電性改良剤が混合されている、炭化水素留分。
【請求項２５】
請求項２４において、１５０〜４５０℃の沸点を有し、結晶化開始温度Ｔｃｃが−５℃以上である留分であって、（ｉ）直留からの留分、（ｉｉ）真空蒸留による留分、（ｉｉｉ）水素化処理された留分、（ｉｖ）真空蒸留による留分を接触分解および／もしくは水素化分解して生じる留分、（ｖ）常圧残渣脱硫型変換および／もしくはビスブレーキング法から生じる留分、（ｖｉ）フィッシャー・トロプシュ反応留分に由来する留分、ならびに（ｖｉｉ）植物系バイオマスおよび／もしくは動物系バイオマスのバイオマス・トゥ・リキッド変換から生じる留分のいずれか１種またはこれらの混合物及び、（ｖｉｉｉ）植物油のエステル、動物油のエステルまたはこれらの混合物とから選択された留分から由来する留分、
から構成された群に由来する少なくとも１種の炭化水素カットを含む、炭化水素留分。
【請求項２６】
請求項２５において、結晶化開始温度Ｔｃｃ−５℃から＋１０℃を有している、炭化水素留分。
【請求項２７】
請求項２４〜２６のいずれか一項において、炭素数１８以上のｎ−パラフィンを、４重量％以上含有している、炭化水素留分。
【請求項２８】
請求項２４〜２７のいずれか一項において、炭素数２４以上のｎ−パラフィンを、０．７重量％以上含有している、炭化水素留分。
【請求項２９】
請求項２４〜２８のいずれか一項において、Ｃ２４〜Ｃ４０ｎ−パラフィンを０．７〜２重量％含んでいる、炭化水素留分。
【請求項３０】
請求項２４〜２９のいずれか一項に記載の炭化水素留分を少なくとも１つ含み、かつ硫黄を０〜５００ｐｐｍ含む、ディーゼル燃料。
【請求項３１】
請求項２４〜２９のいずれか一項に記載の炭化水素留分を少なくとも１つ含み、かつ硫黄を０〜５０００ｐｐｍ含む、暖房用燃料油。
【請求項３２】
請求項２４〜２９のいずれか一項に記載の炭化水素留分を少なくとも１つ含む重油。
【手続補正２】
【補正対象書類名】明細書
【補正対象項目名】００５５
【補正方法】変更
【補正の内容】
【００５５】
本発明の好ましい一実施形態において、上記共同作用組成物は、酢酸ビニル単位を２５〜３０重量％含む、エチレンと酢酸ビニルとのコポリマーを８５〜９８重量％含み、かつ、平均分子量が１００００〜１９０００であり、炭素原子１８〜４０個の炭化水素側鎖を有するポリアクリレートを２〜１５重量％含む。